(57)【要約】【課題】本体の裏側に曲げ畳んだ表示面を開けば略２倍サイズの表示面となるスマートフォンにおいて、開いた表示面の上下動を抑える為にスマートフォンのカバーを活用する。これを実現するカバーと表示面の契合機構と方法を提供する。【解決手段】メインカバー１１内にスライドして出し入れするサブカバー１２を設ける。このサブカバー端部の上部にマグネット１７を組み込む。表示面を開いて使うときはサブカバー１２を引き出し、サブカバー上部のマグネット１７と展開した表示面１５の所定の対応箇所裏面に配した鉄薄板２１とを吸着させる。もって表示面の上下動を抑える。【選択図】図９
2020198605.tif 000002
【特許請求の範囲】
【請求項１】
少なくとも可撓性タッチセンサー薄層と可撓性薄膜表示層とから成る表示面（１４）を上面に有するスマートフォン（１３）とこのスマートフォンの下面と全側端部を覆う機器カバー（１１）とで構成するスマートフォン・タブレットであって、前記表示面（１４）はスマートフォンの上面を越えて延伸するさらなる表示面（１５）を形成し、この表示面（１５）はスマートフォン（１３）の側端部に沿ってスマートフォンの裏側に１８０度曲げ畳み開くことができ、表示面（１５）の薄層基材は前記の曲げ畳み開く箇所ではゴム材等の可撓性材料（２０）で他の部分は平面を保つプラスチック薄板等の剛性薄板（２２）で総厚１ｍｍ以上２ｍｍ以下に構成し、この剛性薄板の可撓性材料（２０）に続く箇所に鉄材などの強磁性体薄層材料（２１）を埋め込み、表示面（１５）を開いたとき機器カバーに埋め込まれているマグネットと契合させ、表示面（１５）の姿勢を水平に維持する、これらの組合せ構造を持って曲げた状態では上面（１４）のみに表示面を有するスマートフォンになり、曲げた状態から開けば表示面の全面（１４）と（１５）を使うシームレスな大画面を有するタブレットになることを特徴とするスマートフォン・タブレットである。
【請求項２】
請求項１において、表示面（１４及び１５）が有機ＥＬであることを特徴とするスマートフォン・タブレットである。
【請求項３】
請求項１及び２において、機器カバー（１１）は少なくとも延伸して拡がる表示面（１５）の曲げ側の側端面と底部を合わせて開閉させもって表示面（１５）の折り畳み出し入れに対応し、加えてこの機器カバーはスライドして出し入れする第二の機器カバー（１２）を内蔵し、特にこの第二の機器カバー上端にマグネット（１７）を埋め込み表示面（１５）を開いて大画面表示とするときこの第二の機器カバー（１２）をスライドさせて出し、マグネット（１７）と表示面（１５）裏面の対応箇所に配されている強磁性体基材（２１）とを吸着契合させ、もって表示面（１５）の垂れ下がりや跳ね上がりを防ぐ機能を有していること、この機器カバー（１１）と前記携帯用機器（１３）とから成ることを特徴とするスマートフォン・タブレットである。
【発明の詳細な説明】
【技術分野】
【０００１】  スマートフォン本体の裏側に曲げ畳んである薄層表示面を開けば、シームレスな２倍サイズのタブレットに近い大画面となるスマートフォン、このような開閉式スマートフォン・タブレットに関する。
【背景技術】
【０００２】  現在は多くのスマートフォンやタブレットが進化を高め、人々の生活や仕事において必須のものとして愛用されている。さらに、これら２台を携帯するよりは１台で両機能を有する製品であればいっそう軽便であるとして、引用文献１の特許が生まれている。この特許の骨子は、基本形態はスマートフォンであるが裏側に曲げ畳んだ薄層表示面を開き水平にすれば略２倍サイズのシームレスな面となり、タブレットに近い大画面に変身するという曲げ畳み式携帯表示装置である。
【先行技術文献】
【特許文献】
【０００３】
【特許文献１】ＪＰ６１９８１９４Ｂ２（２０１７−０９−２７）号公報
【特許文献２】ＵＳＰ  Ａｐｐｌｉｃａｔｉｏｎ  Ｐｕｂｌｉｃａｔｉｏｎ  ＵＳ２００７／０３３６８３１  Ａ１号公報
【発明の概要】
【発明が解決しようとする課題】
【０００４】  スマートフォンの画面は小さい。文字サイズも小さい。長く見続けると眼が疲れてくる。年配者には文字が読みにくいと感じる人も多い。一方タブレットＰＣ（タブレット）の画面は広く同じ情報量なら文字サイズを大きくできる。あるいは同じ文字サイズなら情報量を増やせる。写真や動画もよりダイナミックに楽しむことができる。しかし本体のサイズが大きく、例えばポケットに入れて携帯することはできない。引用文献１はこのような問題に応える新規なユニークで効果的な提案である。【０００５】  具体的には、図１に引用文献１から転用して示すように母体はスマートフォンであり（図１の番号１）、表示面は曲げ畳まれており携帯には極めて便利である。この曲げ畳まれている表示面を広げるとシームレスな２倍サイズの表示面に変身する（図１の番号２）というものであり、タブレットに近似する大画面としての特徴が生まれる。【０００６】  図２のＦｉｇ．２−１にこのスマートフォンの４つある側端のうちの１つの短側端の断面図を示す。番号１はスマートフォン本体、２は表示面、３はスマートフォンのカバーで４はカバーの支点である。このカバー３を図２のＦｉｇ．２−２の番号５で示すように回転し開き番号６で示すように表示面２をスマートフォンの底部に納めていく。逆に、図３に収めた表示面を番号７で示すように広げたところを示す。しかしこの広げた表示面は何もしなければ番号８で示すように垂れ下がってしまう。そこで図４のスマートフォン本体内に表示面支持機構９と支持部材１０を設けている。【０００７】  この垂れ下がり対策を改めて見直してみると以下の３つの欠点が見えて来る。１：貴重な本体のスペースをスマートフォンとしての本体機能以外の表示面支持機構に割譲している。２：本体を改良設計するたびに垂れ下がり防止機構（表示面支持機構）を組み込み直さねばならない。３：ユーザーは表示面を開くたびに上下合計２箇所の支持機構を操作せねばならない。一箇所の操作で済ませたい。これらの３点の欠点を無くす新たな垂れ下がり防止機構が望まれる。大前提として、引用文献１が提示する「在来機の折り畳み式スマートフォンのように２倍の厚みとならないようにする」コンセプトを守ること。これらが、本発明が解決しようとする課題群である。
【課題を解決するための手段】
【０００８】  課題解決手段１は、少なくとも可撓性タッチセンサー薄層と可撓性薄膜表示層とから成る表示面（１４）を上面に有するスマートフォン（１３）とこのスマートフォンの下面と全側端部を覆う機器カバー（１１）とで構成するスマートフォン・タブレットであって、前記表示面（１４）はスマートフォンの上面を越えて延伸するさらなる表示面（１５）を形成し、この表示面（１５）はスマートフォン（１３）の側端部に沿ってスマートフォンの裏側に１８０度曲げ畳み開くことができ、表示面（１５）の薄層基材は前記の曲げ畳み開く箇所ではゴム材等の可撓性材料（２０）で他の部分は平面を保つプラスチック薄板等の剛性薄板（２２）で総厚１ｍｍ以上２ｍｍ以下に構成し、この剛性薄板の可撓性材料（２０）続く箇所に鉄材などの強磁性体薄層材料（２１）を埋め込み、表示面（１５）を開いたとき機器カバーに埋め込まれているマグネットと契合させ、表示面（１５）の姿勢を水平に維持する、これらの組合せ構造を持って曲げた状態では上面（１４）のみに表示面を有するスマートフォンになり、曲げた状態から開けば表示面の全面（１４と１５）を使うシームレスな大画面を有するタブレットになることを特徴とするスマートフォン・タブレットである。【０００９】  課題解決手段２は、課題解決手段１において、表示面（１４及び１５）が有機ＥＬであることを特徴とするスマートフォン・タブレットである。【００１０】  課題解決手段３は、課題解決手段１及び２において、機器カバー（１１）は少なくとも延伸して拡がる表示面（１５）の曲げ側の側端面と底部を合わせて開閉させもって表示面（１５）の折り畳み出し入れに対応し、加えてこの機器カバーはスライドして出し入れする第二の機器カバー（１２）を内蔵し、特にこの第二の機器カバー上端にマグネット（１７）を埋め込み表示面（１５）を開いて大画面表示とするときこの第二の機器カバー（１２）をスライドさせて出し、マグネット（１７）と表示面（１５）裏面の強磁性体基材（２１）とを吸着契合させ、もって表示面（１５）の垂れ下がりや跳ね上がりを防ぐ機能を有していること、この機器カバー（１１）と前記携帯用機器（１３）とから成ることを特徴とするスマートフォン・タブレットである。
【発明の効果】
【００１１】  課題解決手段による効果は次のとおりである。表示面は可撓性薄膜表示部材とその可撓性薄膜駆動部材とから成り、その支持基板も可撓性薄層と剛性薄層を組み合わせて構成されている。薄層タッチセンサーも可撓性のあるものを採用する。加えて、表示面を裏側に１８０度曲げるのもスマートフォン・タブレットの側端に沿って曲げるので、曲げ箇所で表示面が折れ破壊されることもない。【００１２】  このような表示面の構成により、表示面を畳んでも在来機のように厚みが２倍になることもなく、衣服のポケットに入れることもできる携帯に便利なスマートフォンとなり、表示面を開けば略２倍の表示面積となりタブレットと呼んでも良いような大きな表示面を楽しむことが出来る。ポケットに入るスマートフォン・タブレットなのである。【００１３】  その上で本案においては、スマートフォン・タブレットの下面と全側端を覆うカバーはスマートフォンを手で保持するときはその下部と全側端をカバーとして保護しており、畳んだ表示面の汚れや傷つきを防いでいる。さらに表示面を展開しシームレスなタブレットとして使用するときはカバー１１と内蔵している出し入れ自在のサブカバー１２を開き表示面を展開する。加えてカバー１１からサブカバー１２を引き出しその先端上部のマグネットをもって表示面基材の強磁性体基板を密着させ、表示面の垂れ下がりと跳ね上がりを防ぐ。この表示面姿勢維持のためにカバーに触る所作は１箇所であり一回のみである。このようにスマートフォン本体には手を加えずそのカバーに表示面支持機能を持たせ、表示画面の垂れさがりや跳ね上がり無しに展開して使えるようにした、これらが特徴ある効果である。【００１４】  効果の基本的な点の確認であるが、「基本はスマートフォンであり開けば略２倍サイズの表示面となる」観点で同じ目的の従来のスマートフォン・タブレットの代表的な例を図１３のＴｙｐｅ  Ａ及びＡ’として示す。番号２３がスマートフォン本体で番号２４がそのカバーである。カバーを矢印２５で示すように開くと画面２６が現れる。この図から理解できるように、（１）開いたときは単一の大画面ではなく分離した２画面である。中央に折れ目２７が現れる。さらにカバーを閉じたときの上面２４には表示面はない。【００１５】  上記の欠点対応の一つが図１４のＴｙｐｅ  Ｂ及びＢ’である。スマートフォン２８にもう一台のスマートフォン２９を、柔軟性を持たせてカバー状に結合させる。表示面３０にもフレキシブルな材料を用い、もって開いたときの分離線を解消する。さらに２９のカバーにも表示面３２を設ける。特許文献２：ＵＳＰ  Ａｐｐｌｉｃａｔｉｏｎ  Ｐｕｂｌｉｃａｔｉｏｎ  ＵＳ２００７／０３３６８３１  Ａ１号公報は、図１５のＴｙｐｅ  Ｃで示す２台のスマートフォンの結合部３３をよりスムーズに確実にする技術を広く深く考究し、もって開いたときの折れ線発生を皆無にしかつ耐久性も向上させる解を示唆している。【００１６】  さらに図１６のＴｙｐｅ  Ｄに示すように、二台のスマートフォン３４と３５およびこれらの表示面３６を、柔軟性を持たせて結合させる。もって、一方を下方に曲げ畳めばスマートフォンとなり、番号３７で示すように開けばＴｙｐｅ  Ｄ’で示すタブレット画面３６’となる。【００１７】  図１７にＴｙｐｅ  Ｅとして柔軟なスマートフォン・タブレット３８と表示面３９を用いるタイプを示す。矢印２５のように開けばＴｙｐｅ  Ｅ’で示すシームレスな大画面３９’となる。３８の折り曲げた上面にも表示面４０を設ける。【００１８】  これらの既存のスマートフォン・タブレットに採用されている対策Ｔｙｐｅ  Ｂ、Ｃ、Ｄ、Ｅはそれなりの解であるが、１：スマートフォン・タブレットの総厚が２倍となり携帯には不便である。２：表示画面を１つ増やさねばならずコストアップが避けられない。３：薄膜の柔軟性のある表示面を用いているのであるが、これの１８０度折り曲げを繰り返すうちに折り曲げ破壊のリスクがつきまとう。本発明はこれらの既存の解に比し大幅な厚み増大や表示面を増やさずコストアップを避けることができ、加えて折り曲げ破壊リスクが無いこと、これらが特徴的な効果である。
【図面の簡単な説明】
【００１９】
【図１】引用文献１に準拠した図。本体幅の略２倍の幅の表示面を有し、これを本体の裏側に曲げ畳めばスマートフォンであり、曲げ畳んだ表示面を伸ばせば２倍面積となり、タブレットとも言える。
【図２】引用文献１が示唆するスマートフォン（断面図）１のカバーを開き、曲げ畳んで格納されていた表示面２を展開しているところ。
【図３】引用文献１が示唆するスマートフォン（断面図）１の格納されていた表示面２を展開したところ。
【図４】引用文献１が示唆する表示面の垂れ下がり対策。スマートフォン本体の両端部に表示面支持装置を組み込む方式。
【図５】スマートフォンと、その下面と全側端を覆うカバー１１とで構成する新規なスマートフォン・タブレット（断面図）。
【図６】格納されていた表示面を伸ばし開いた図。そのままでは、スマートフォンの姿勢によって表示面は垂れ下がったり跳ね上がったりする。
【図７】カバー１１に組み込まれたサブカバー１２を引き出し、表示面の垂れ下がりを防ぐ。
【図８】全側端を保護するカバー１１の俯瞰図。
【図９】カバー１１をスマートフォン１３に装着した図。
【図１０】カバー１１を開き、スマートフォンの開いた表示面１５を曲げて格納したり戻したりする様子。
【図１１】磁石活用の表示面姿勢維持機構：図７の一点鎖線Ａの、全側端を保護するカバーの開閉側端がわの拡大図。サブカバーを引き込み納めている状態。
【図１２】図７の一点鎖線Ａの、全側端を保護するカバーの開閉側端がわの拡大図。サブカバーを引き出している状態。
【図１３】既存のスマートフォンの代表例。閉じると表示面が見えなくなる。開いて２画面にするが、分離した２画面である
【図１４】既存のスマートフォンの欠点対策１：もう一台のスマートフォンを柔軟性を持たせてカバー状に結合させ、表示面にはフレキシブルな材料を用い、もって開いたときの分離線を解消する。  欠点対策２：カバーにも表示面を設ける。
【図１５】図１４の２台のスマートフォンのフレキシブルな結合をよりスムーズ・確実にし、もって開いたときの折れ線発生を皆無にしかつ耐久性も向上させたスマートフォン・タブレット。
【図１６】二台のスマートフォンおよびこれらの表示面を柔軟性を持たせて結合させ、もって、一方を下方に曲げ畳めばスマートフォンとなり、開けばタブレットと呼んでも良い大画面表示面となる既存のスマートフォン・タブレット。
【図１７】柔軟な基盤と表示面を用いる既存のスマートフォン・タブレット。
【発明を実施するための形態】
【００２０】  本案の実施形態を図５〜１３に示す。図５の番号１３がスマートフォン・タブレットである。番号１４がスマートフォンの表示面であり、開いてタブレットとしたときの表示面が１５である。表示面１５及び連続する表示面１４は、トップ層に透明薄膜の保護層を有し可撓性タッチセンサー薄層と薄層表示材として有機ＥＬ層とこれらの薄層基材で構築されている。これらの薄層素材の積層で成る表示面１５の層厚は１〜２ｍｍに抑える。
【００２１】  番号１１はスマートフォン・タブレットの全側端を保護するカバーであり、スライドさせて出し入れするサブカバー１２を内蔵している。カバー１１の素材はポリカーボネイト、シリコン素材、熱可塑性ポリウレタンなどが適している。図６にカバー１１、１２を開き表示面１５を展開した状態を示すが、手当てをしなければ矢印８で示すように表示面が１５−１と垂れ下がったり、スマートフォン・タブレットの姿勢によっては８’で示すように表示面が１５−２と跳ね上がったりしてしまう。その対応として図７の矢印１２−１で示すようにサブカバー１２をスライドさせて押し出し表示面１５と契合させ、矢印１６で示すように垂れ下がりを防ぐあるいは矢印１６’で示すように跳ね上がりを防ぐのである。
【００２２】  図８にカバー１１の俯瞰図を示す。１１−２がその底部でスライドして出し入れするサブカバー１２が内蔵されている。底部１１−２にはストッパ−Ｓｔｐ．を設け、サブカバー１２はここまで引き出される。サブカバーに引き出し用の摘まみ４１を取り付けるのも一案でありより使いやすくなる。サブカバーの出し入れ先端側の上部の両端にマグネット片１７が装着されている。
【００２３】  図９にカバー１１をスマ−トフォン・タブレット１３に装着した図を示す。番号１４、１５が表示面、１８は１３に装填されている自分撮り用のカメラである。前方を撮る主カメラは本図の反対側左寄りにあり図には現れていないが、番号１８−２が表示面１５の曲げ畳んだ時の主カメラに被さることを避けるための切り欠き孔である。図１０にカバー１１を矢印１９−１のように開閉し、表示面１５を矢印１９−２で示すように曲げて格納したり開いたりする様子を示す。
【００２４】  図７の一点鎖線Ａで囲った箇所の、すなわちサブカバー１２の開閉側端がわの断面の拡大図を図１１と１２に示す。図１１がサブカバー１２を引き出す前の状態で、図１２がサブカバー１２を引き出した状態である。サブカバー１２の上辺の両端にマグネット１７を埋め込んでいる。マグネット１７は特定物に限定するものではないが、小型でも強い磁力を有するネオジウムマグネットなどが好ましい。
【００２５】  マグネット１７の大きさは、この断面図の幅方向で１．５〜３ｍｍとした。これは保護カバー１２の厚さが３〜４ｍｍ前後であることを考慮し、この保護カバーの先端にマグネットを包んだ時の膨らみを異常に大きくしないためである。さらにこのマグネットの周囲を厚さ０．２〜０．４ｍｍの鉄薄板１７−２で巻き磁気シールドとする。マグネットの長さ（この断面図では断面図を貫く垂直方向）は上記の幅と同程度であれば十分であり、１．５〜３ｍｍとする。マグネットの高さも保護カバー内に納めることを考慮し１０ｍｍ以下、例えば５〜８ｍｍとする。マグネット上部の保護カバーの厚さは磁力を維持するため厚くしないほうが良い。１〜２ｍｍくらいが適当である。
【００２６】  このマグネットと組み合わせて、表示面１５の薄膜支持基板に新機能を持たせる。具体的には、図１１、１２において、表示装置端部７に対応する箇所（番号１５−１）を番号２０で示すゴム材等の可撓性材料基板とし、他の箇所を番号２２で示す平面を保つアクリル樹脂やポリカーボネイト樹脂などの剛性材料基板とする。この剛性材料基板の所定の箇所（番号１５−２）を鉄材とする。ゴム材は、スチレエンブタジェンゴム、アクリルゴム、ウレタンゴム等の一般的に多用されているもので、ゴム硬度３０前後の柔らかなものを用い、厚さは１〜２ｍｍとする。
【００２７】  剛性材料基板の所定の箇所（サブカバーを引き出したときのマグネットの位置）番号１５−２にマグネットに吸着されるように鉄材などの強磁性体材料番号２１を配する。鉄材２１の幅はマグネットの幅以上であれば良いのであるが、サブカバー出し入れ位置のばらつきを考慮に入れて１０〜２０ｍｍとする。厚さは０．５ｍｍ以上２ｍｍ以下とし、長さ（この断面図では断面図を貫く垂直方向）はマグネットの長さである数ｍｍ以上であれば良く、実用的な値として表示面１５の画像域にかからせないように１０ｍｍ以下とする。
【００２８】  以上に説明してきたように、表示面１５の所定の場所に設けられて鉄材２１とサブカバー上端のマグネット１７との組合せで表示面の上下動を規制し、加えてサブカバー上端の全長で表示面を全幅に渡って下支えすることによって、展開した表示面の安定を図ることができる。
【符号の説明】
【００２９】１  引用文献１表示装置の本体
２  引用文献１表示装置の表示面
３  表示機器カバーの底部
４  表示機器カバーの開閉支点
５．表示機器カバーの開く方向
６  表示面を折り畳んでいく方向
７  表示面を開いていく方向
８  開いた表示面が垂れ下がっている様子（垂れ下がっている方向）
８’  開いた表示面が跳ね上がっている方向
９  表示装置本体両端部に組み込まれた表示面支持装置
１０  表示面支持装置から出された支持棒
１１  本発明のスマートフォン・タブレットの下面と全側端を覆う機器カバー
１２  本発明の機器カバー内蔵の出し入れするサブカバー
１２ａ  サブカバーを引き出すことを示す矢印
１３  本発明のスマートフォン・タブレット
１４  本発明スマートフォン・タブレットの表示面
１５  スマートフォン・タブレットの展開した表示面
１５−１  垂れ下がった表示面
１５−２  跳ね上がった表示面
１６  表示面垂れ下がりが是正されたことを示す矢印
１６’  表示面跳ね上がりが是正されたことを示す矢印
１７  サブカバー両端上部に組み込まれたマグネット小片
１７−２  マグネットの磁気シールド（鉄薄板）
１８  自分撮りようのカメラ
１８−２  主カメラを避ける表示面の切り欠き孔
１９−１  カバー開閉の方向
１９−２  表示面開閉の方向
２０  ゴム材等の可撓性材料基板
２１  鉄材である剛性材料基板
２２  剛性プラスチック材料基板
２３  既存の携帯電話の本体
２４  既存の携帯電話のカバー
２５  既存の携帯電話のカバーを開く方向
２６  既存の携帯電話を開いたときの表示面
２７  既存の携帯電話を開いたとき現れる折れ線
２８  柔軟性のある結合部材を用いた携帯電話
２９  柔軟性のある結合部材を用い２８と結合されたもう一台の携帯電話
３０  ２台の携帯電話に跨る柔軟性のある表示面
３０’  柔軟性のある表示面３１を開いた表示面
３１  折れ線の生じないことの示唆
３２  ２９のもう一台の携帯電話のカバーに設けられた表示面
３３  ２台の携携帯機器の柔軟性結合をよりスムーズ・確実にした結合部
３４  裏側に開閉する２台の携帯電話の柔軟性を持たせて結合された一方の携帯電話
３５  ３４と対をなすもう一方の携帯電話
３６  携帯電話３４と３５のフレキシブルな表示面
３６’  携帯電話３４と３５を開いたときの表示面
３７  携帯電話３５を開くことを示す矢印
３８  柔軟な基盤と表示面を用いる携帯電話
３９  ３８の柔軟な表示面
３９’  ３８を開いた時の表示面
４０  ３８の裏面（折り畳んだ時の上面）
４１  サブカバー１２に設けた摘まみ
【図１】
2020198605.tif 000003
【図２】
2020198605.tif 000004
【図３】
2020198605.tif 000005
【図４】
2020198605.tif 000006
【図５】
2020198605.tif 000007
【図６】
2020198605.tif 000008
【図７】
2020198605.tif 000009
【図８】
2020198605.tif 000010
【図９】
2020198605.tif 000011
【図１０】
2020198605.tif 000012
【図１１】
2020198605.tif 000013
【図１２】
2020198605.tif 000014
【図１３】
2020198605.tif 000015
【図１４】
2020198605.tif 000016
【図１５】
2020198605.tif 000017
【図１６】
2020198605.tif 000018
【図１７】
2020198605.tif 000019